(57)【特許請求の範囲】
【請求項１】
光源と、
前記光源を点灯させる点灯装置と、
前記光源からの光が照射される被照射面の照度を検出する照度検出手段と、
前記照度検出手段の照度検出値が照度目標値となるように前記点灯装置を制御して前記光源を点灯させる点灯制御手段と、
前記点灯制御手段で使用される照度目標値である制御用照度目標値を前記光源以外の外光の照度に応じて複数の照度目標値の中から選択する選択手段と、
前記光源の点灯直前を含む消灯時における前記照度検出手段の照度検出値が、前記複数の照度目標値より小さく設定された閾値より大きいか否かを判断する判断手段と、
任意に設定される時間を計時するタイマ部と、
前記判断手段で前記照度検出値が前記閾値に達したと判断されると前記タイマ部による計測を開始させるタイマ制御手段と、
前記被照射面の照度を一定制御するときに操作される照度一定ボタンとを備え、
前記複数の照度目標値には、第１の照度目標値と、当該第１の照度目標値より小さい第２の照度目標値とが含まれ、
前記選択手段は、前記照度一定ボタンが操作されたときに前記判断手段で前記照度検出値が前記閾値より大きいと判断されると、前記タイマ部が計時している間、前記制御用照度目標値として前記第１の照度目標値を選択し、前記タイマ部が計時を完了すると前記制御用照度目標値として前記第２の照度目標値を選択する一方、前記照度一定ボタンが操作されたときに前記判断手段で前記照度検出値が前記閾値以下であると判断されると、前記制御用照度目標値として前記第２の照度目標値を選択する
ことを特徴とする照明装置。
【請求項２】
前記選択手段は、前記タイマ部による計時の完了後、前記制御用照度目標値を時間経過に伴って小さくしていくことを特徴とする請求項１記載の照明装置。
【請求項３】
現在時刻を示す時計手段を備え、
複数の時間帯のそれぞれに前記複数の照度目標値の何れかを対応させ、
前記選択手段は、現在時刻が含まれる時間帯に対応する照度目標値を前記制御用照度目標値として選択する
ことを特徴とする請求項１又は２記載の照明装置。
【発明の詳細な説明】
【技術分野】
【０００１】
本発明は、照明装置に関するものである。
【背景技術】
【０００２】
従来から、省エネルギーを実現する照明装置として、周囲照度を検出して照度を一定に保つように光源を制御するものや、自然光を照明の一部として利用するもの、タイムスケジュールで照明時間を管理するものなどが知られている。照度を一定に保つように光源を制御する照明装置は、光源の光出力を必要以上に高めないことによって、省エネルギーを実現することができる。タイムスケジュールで照明時間を管理する照明装置は、不要な時間帯に光源を消灯させることによって、省エネルギーを実現することができる。
【０００３】
上記照度を一定に保つように光源を制御する照明装置として、特許文献１には、光源の光が照射される被照射面の照度を所定値に設定する第１のモード及び明るさ検出手段の検出値を受けて光源の光出力を制御する第２のモードを切り替えるモード切替手段と、第１のモードから第２のモードに切り替わるときの明るさ検出手段の検出値を記憶する記憶手段とを備える照明装置が開示されている。特許文献１の照明装置は、第２のモードにおいて、記憶手段に記憶された検出値を照度目標値とし、明るさ検出手段の検出値が照度目標値で維持するように光源の光出力を制御する。
【特許文献１】特開平１０−２７０１７８号公報
【発明の開示】
【発明が解決しようとする課題】
【０００４】
しかしながら、特許文献１の照明装置には、照度目標値を１つしか設定することができないため、１日中、照度目標値が一定であり、光源以外の外光の照度が異なるとき（例えば昼間と夜間）に人の明るさ感に違和感が生じてしまうという問題があった。
【０００５】
上記問題を解決するために、特許文献１の照明装置は、照度目標値の設定変更を可能としているが、１日に何度も照度目標値の設定操作を行うのは不便であるため、例えば住宅の居室などに設置した場合に、使い勝手の悪いものであった。
【０００６】
本発明は上記の点に鑑みて為されたものであり、その目的は、省エネルギー効果を高めつつ、被照射面において人の明るさ感に対する違和感を低減させて住宅の居室などに使用する際の使い勝手を向上させることができる照明装置を提供することにある。
【課題を解決するための手段】
【０００７】
請求項１の発明は、光源と、前記光源を点灯させる点灯装置と、前記光源からの光が照射される被照射面の照度を検出する照度検出手段と、前記照度検出手段の照度検出値が照度目標値となるように前記点灯装置を制御して前記光源を点灯させる点灯制御手段と、前記点灯制御手段で使用される照度目標値である制御用照度目標値を前記光源以外の外光の照度に応じて複数の照度目標値の中から選択する選択手段と、前記光源の点灯直前を含む消灯時における前記照度検出手段の照度検出値が、前記複数の照度目標値より小さく設定された閾値より大きいか否かを判断する判断手段と、任意に設定される時間を計時するタイマ部と、前記判断手段で前記照度検出値が前記閾値に達したと判断されると前記タイマ部による計測を開始させるタイマ制御手段と、前記被照射面の照度を一定制御するときに操作される照度一定ボタンとを備え、前記複数の照度目標値には、第１の照度目標値と、当該第１の照度目標値より小さい第２の照度目標値とが含まれ、前記選択手段は、前記照度一定ボタンが操作されたときに前記判断手段で前記照度検出値が前記閾値より大きいと判断されると、前記タイマ部が計時している間、前記制御用照度目標値として前記第１の照度目標値を選択し、前記タイマ部が計時を完了すると前記制御用照度目標値として前記第２の照度目標値を選択する一方、前記照度一定ボタンが操作されたときに前記判断手段で前記照度検出値が前記閾値以下であると判断されると、前記制御用照度目標値として前記第２の照度目標値を選択することを特徴とする。
【００１１】
請求項２の発明は、請求項１の発明において、前記選択手段は、前記タイマ部による計時の完了後、前記制御用照度目標値を時間経過に伴って小さくしていくことを特徴とする。
【００１２】
請求項３の発明は、請求項１又は２の何れか１項の発明において、現在時刻を示す時計手段を備え、複数の時間帯のそれぞれに前記複数の照度目標値の何れかを対応させ、前記選択手段は、現在時刻が含まれる時間帯に対応する照度目標値を前記制御用照度目標値として選択することを特徴とする。
【発明の効果】
【００１３】
請求項１の発明によれば、選択手段が光源以外の外光の照度に応じて複数の照度目標値から制御用照度目標値を選択することによって、外光の照度が異なるとき（例えば昼間と夜間）に被照射面の照度を変えることができるので、被照射面において人の明るさ感に対する違和感を低減させることができる。これにより、外光の照度に応じて照度目標値を設定変更する必要がないので、照度目標値が１つである場合に比べて、住宅の居室などに使用する際の使い勝手を向上させることができる。
【００１４】
また、請求項１の発明によれば、制御用照度目標値として複数の照度目標値を使い分けることができ、外光の照度によっては低い照度目標値を選択することができるので、光源からの光出力が必要以上に大きくなるのを防止することができる。その結果、照度目標値が１つである場合に比べて、省エネルギー効果を高めることができる。
【００１５】
さらに、請求項１の発明によれば、光源の点灯直前における照度検出値と第１の閾値との比較結果に応じて制御用照度目標値を選択することによって、被照射面を外光の照度に応じた照度に設定することができる。
【００１６】
また、請求項１の発明によれば、光源の点灯直前における照度検出値が閾値より大きいときに制御用照度目標値として選択される第１の照度目標値を、上記照度検出値が閾値より小さいときに制御用照度目標値として選択される第２の照度目標値より大きくすることによって、外光の照度が大きいときに被照射面の照度を高くすることができ、外光の照度が小さいときに被照射面の照度を低くすることができる。
【００１７】
さらに、請求項１の発明によれば、照度検出手段及びタイマ部を用いて、タイマ部による計時動作に応じて制御用照度目標値を選択することによって、既存の照明装置の構成を用いて安価に実現することができる。
【００１８】
請求項２の発明によれば、タイマ部による計時の完了後、選択手段が制御用照度目標値を小さくしていくことによって、スムーズな入眠のためのリラクゼーション照明とすることができるので、生体リズムに適した照明制御を行うことができる。
【００１９】
請求項３の発明によれば、複数の時間帯のそれぞれに対応した照度目標値を現在時刻に応じて選択手段が制御用照度目標値として選択することによって、被照射面を時間帯ごとに最適な照度にすることができる。
【発明を実施するための最良の形態】
【００２０】
（実施形態１）
まず、実施形態１の照明装置の構成について図１〜３を用いて説明する。この照明装置は、図１に示すように、部屋の天井面Ｃ（図２参照）に設置される照明器具１と、照明器具１にワイヤレス信号Ｓを送信可能であるリモートコントロール装置（以下「リモコン装置」という。）２とを備えている。
【００２１】
照明器具１は、調光点灯が可能である光源３と、光源３に電源供給して上記光源３を点灯させる点灯装置４と、リモコン装置２からワイヤレス信号Ｓを受信する受信装置５と、光源３からの光が照射される被照射面の照度を検出する照度検出部（照度検出手段）６とを備えている。本実施形態では、光源３として蛍光灯が用いられている。
【００２２】
点灯装置４は、電源接続部４０によって交流電源ＡＣに接続されるものであり、フィルタ４１を介して交流電源ＡＣからの交流電力を直流電力に変換して出力する力率改善部４２と、力率改善部４２から出力された直流電力を光源３の点灯に適した交流電力に変換するインバータ部４３と、力率改善部４２及びインバータ部４３を制御する制御部４４とを備えている。
【００２３】
制御部４４は、受信装置５からの調光信号に応じて、全点灯に対して１０％〜１００％の範囲で連続的に変動させて光源３を調光点灯させるようにインバータ部４３を制御する。なお、調光信号のデューティ比が１００％のときに光源３が全点灯（１００％点灯）し、デューティ比が１０％のときに光源３が全点灯に対して１０％の光量で点灯するように設定されている。
【００２４】
また、制御部４４は、光源３を全点灯にする調光信号が入力されたときに、調光信号が入力される直前の光源３が消灯していた場合あるいは後述の常夜灯５４が点灯していた場合、光源３が予熱、始動のシーケンスを経て全点灯となるようにインバータ部４３を制御する。これに対して、調光信号が入力される直前の光源３が調光状態であった場合、制御部４４は、光源３が調光点灯から全点灯にスムーズに変化するようにインバータ部４３を制御する。
【００２５】
受信装置５は、リモコン装置２からのワイヤレス信号Ｓを受信する受信部５０と、それぞれが照度検出部６の照度検出値の目標値として使用される複数の照度目標値を記憶するメモリ部５１と、現在時刻を示すタイマ部（時計手段）５２と、点灯装置４に調光信号を出力する制御部５３と、ＬＥＤで構成される常夜灯５４と、常夜灯５４を駆動する駆動部５５とを備えている。受信装置５の制御部５３と点灯装置４の制御部４４とは信号線Ｌで接続されている。
【００２６】
受信部５０は、リモコン装置２からのワイヤレス信号Ｓを受信する赤外線受光素子である。
【００２７】
メモリ部５１には、調光比に応じたデューティの調光テーブルが予め記憶されている。また、メモリ部５１には、複数の時間帯に複数の照度目標値が１対１で対応される目標値テーブルが記憶されている。上記複数の時間帯とは、被照射面における外光の照度が互いに異なる複数の時間帯をいう。具体的には、メモリ部５１には、朝の時間帯、昼の時間帯、夕方の時間帯に対応して、光源３の全点灯の８０％である５６０Ｌｘの第１の照度目標値が記憶され、夜の時間帯及び深夜の時間帯に対応して、第１の照度目標値の７５％である４２０Ｌｘの第２の照度目標値が記憶されている。
【００２８】
制御部５３は、受信部５０でワイヤレス信号Ｓが受信されると、受信されたワイヤレス信号Ｓを判別し、ワイヤレス信号Ｓに応じた調光信号を点灯装置４に出力する。調光信号は、デューティ信号（動作周波数は約１ｋＨｚ）であり、デューティの比率を変えることにより調光を行う。
【００２９】
このとき、図３に示すように、被照射面の平均照度が全点灯時（１００％点灯時）で７００Ｌｘ、下限出力時（１０％点灯時）で７０Ｌｘであり、制御用照度目標値を５６０Ｌｘ（全点灯の８０％）に設定している場合、自然光（外光）が０Ｌｘのとき光源３の光出力は全点灯の８０％である。自然光が増えるに従って、照度検出値が制御用照度目標値で一定となるように光源３の光出力を下げながらフィードバック制御する。しかしながら、光源３の光出力を全点灯の１０％未満に下げることができないため、自然光による照度が４９０Ｌｘ以上になると、光源３の光出力を１０％に固定する。このため、照度検出値は、自然光の増加に従って、制御用照度目標値以上に増加する。
【００３０】
図１に示す制御部５３は、メモリ部５１に記憶されている複数の照度目標値から実際に使用するための制御用照度目標値を選択する選択モードと、照度検出部６の照度検出値が制御用照度目標値となるように点灯装置４を制御して光源３を点灯させる点灯制御モードとを有する。つまり、本実施形態の制御部５３は、本発明の選択手段と点灯制御手段の両方に相当する。
【００３１】
さらに、制御部５３は、メモリ部５１のデータテーブルを用いて、現在時刻が含まれる時間帯に対応する照度目標値を制御用照度目標値として選択する。
【００３２】
照度検出部６は、周囲の明るさを検出するフォトＩＣダイオード（図示せず）を備え、被照射面の照度を検出する。フォトＩＣダイオードは、入射光量に応じて出力電流が変化する。照度検出部６からの出力は、フォトＩＣダイオードに直列接続された負荷用抵抗（図示せず）により電圧信号に変換されたものである。出力信号は、入射光量に応じて例えば０Ｖ〜５Ｖの範囲で設定され、入射光量が０（暗状態）のときに出力信号は０Ｖとなり、入射光量が最大（明状態）のときに出力電流は５Ｖとなる。
【００３３】
ここで、照明器具１の構造について図２を用いて説明する。照明器具１は、円盤状の筐体１０の中央に電源接続部４０が設けられ、天井面Ｃに設置される引掛け式の器具取付部兼交流電源供給部（図示せず）に取り付けられる。また、筐体１０には、光源３、点灯装置４及び受信装置５が、光源３からの光を下方向へ反射させるための反射板１１とともに取り付けられている。照明器具１の下面は、透光性を有する樹脂製のカバー１２で覆われている。照度検出部６は、光源３からの光を直接受光しないように、筐体１０の外周に取り付けられた枠体１３内に収納されるとともに、光源３より上方に配置されている。
【００３４】
続いて、リモコン装置２の構成について図１を用いて説明する。リモコン装置２は、ワイヤレス信号Ｓを送信する送信部２０と、照明器具１の操作を行うための操作ボタン２１と、各種設定を行うための設定ボタン２２と、リモコン装置２全体の制御を行う制御部２３とを備えている。
【００３５】
送信部２０は、複数の赤外線ＬＥＤ２００，２００，２００を備えている。
【００３６】
操作ボタン２１の主な用途は、光源３の全点灯や調光点灯、常夜灯５４の点灯、調光レベルの設定、消灯、照度一定制御機能の設定／解除などである。
【００３７】
設定ボタン２２として、照度目標値を設定するための明るさ設定ボタン２２０（図２参照）と、被照射面の反射率の違いによる検出電圧のずれを補正するための補正ボタン２２１（図２参照）と、照度一定制御するための照度一定ボタン２２２とが設けられている。
【００３８】
ここで、リモコン装置２の構造について図２を用いて説明する。リモコン装置２は、送信部２０の各赤外線ＬＥＤ２００の放射面を露出するようにして上記送信部２０を収納する筐体２４を備えている。筐体２４には、操作ボタン２１及び設定ボタン２２が前面２４０に設けられ、制御部２３が内部に収納されている。
【００３９】
次に、本実施形態の照明装置の動作について図１を用いて説明する。まず、光源３を全点灯（１００％点灯）させる場合について説明する。リモコン装置２の全点灯ボタン２１０（図２参照）が押されると、光源３の全点灯をさせるためのワイヤレス信号Ｓがリモコン装置２から照明器具１に送信される。
【００４０】
照明器具１の受信装置５は、ワイヤレス信号Ｓを受信すると、受信したワイヤレス信号Ｓに含まれる情報を判別し、光源３の全点灯を行うための調光信号を点灯装置４に出力する。点灯装置４は、調光信号が入力されると、光源３を全点灯させる。
【００４１】
なお、光源３を調光点灯させるときも、光源３を全点灯させる場合と同様の動作を行う。
【００４２】
次に、本実施形態の照明装置において照度検出値と制御用照度目標値とを一定にするための動作について図４を用いて説明する。まず、光源３（図１参照）が所定のデューティで点灯した後（図４のＳ１）、照度検出部６（図１参照）が１秒おきに照度検出値を検出し（Ｓ２）、受信装置５の制御部５３（図１参照）が照度検出値をメモリ部５１（図１参照）に記憶させるとともに、照度検出回数をカウントする（Ｓ３）。上記ステップＳ２，Ｓ３を繰り返す。その後、照度検出部６が照度検出値を１０回検出し、制御部５３が１０個の照度検出値をメモリ部５１に記憶させた後（Ｓ４）、制御部５３は、メモリ部５１の１０個の照度検出値のうち最大値と最小値を除く８個の照度検出値の平均値を求め、求めた平均値を照度検出値として採用する（Ｓ５）。その後、制御部５３は、上記照度検出値が制御用照度目標値に近づくように、調光信号のデューティを、例えば１秒ごとに２％ずつ変化させる（Ｓ６）。その都度、照度検出部６が照度検出値を１回測定し、照度検出値が制御用照度目標値の±５％以内に入ったか否かを制御部５３が判定する（Ｓ７）。このとき、制御部５３は判定回数をカウントし（Ｓ８）、調光信号のデューティを１０回繰り返して変化させても、照度検出値が制御用照度目標値の±５％以内に入っていなければ（Ｓ９）、ステップＳ２に戻って、照度検出部６が１秒おきに１０回の照度検出値を検出し、照度検出値の平均値が制御用照度目標値に近づくように制御部５３が調光信号のデューティを１秒ごとに２％ずつ変化させて、照度検出値が制御用照度目標値の±５％以内に入ったか否かを制御部５３が判定する。照度検出値が制御用照度目標値の±５％以内に入るまで、上記の動作を繰り返す。この動作は、制御部５３のマイクロコンピュータのプログラムによって行われる。
【００４３】
上記の動作を行うことによって、太陽が雲に隠れたり雲から出たりして自然光が頻繁に変化した場合などに、照度検出部６が過敏に反応して光源３の光出力が上下することによる不快感を抑制することができる。
【００４４】
続いて、本実施形態の照明装置の照度一定制御機能について図５を用いて説明する。まず、朝の時間帯に、リモコン装置２の照度一定ボタン２２２（図２参照）が押されると、受信装置５の制御部５３（図１参照）は、朝の時間帯に対応してメモリ部５１に記憶されている第１の照度目標値（５６０Ｌｘ）を制御用照度目標値として選択する。その後、照度検出部６（図１参照）の照度検出値が制御用照度目標値になるように光源３の光出力をフィードバック制御する。このとき、自然光は２１０Ｌｘであるため、光源３の光出力を全点灯時の５０％にすることで、照度検出値は制御用照度目標値になる。
【００４５】
続いて、昼の時間帯になり、自然光が４９０Ｌｘ以上に増えると、制御部５３は、光源３の光出力を全点灯時の１０％（下限）に固定させる。したがって、照度検出部６の照度検出値は制御用照度目標値以上に増加する。
【００４６】
その後、夕方の時間帯になって自然光が７０Ｌｘまで下がると、制御部５３は、光源３の光出力を全点灯時の７０％まで上昇させるように制御する。これにより、照度検出部６の照度検出値は制御用照度目標値になる。
【００４７】
その後、夜の時間帯になると、制御部５３は、第２の照度目標値（４２０Ｌｘ）を新たな制御用照度目標値に変更し、光源３の光出力をフィードバック制御する。自然光は０であるため、光源３の光出力は全点灯時の６０％となる。深夜の時間帯も夜の時間帯と同様の動作となる。
【００４８】
以上、本実施形態によれば、図１に示す受信装置５の制御部５３が光源３以外の外光の照度に応じて複数の照度目標値から制御用照度目標値を選択することによって、外光の照度が異なるとき（例えば昼間と夜間）に被照射面の照度を変えることができるので、被照射面において人の明るさ感に対する違和感を低減させることができる。これにより、外光の照度に応じて照度目標値を設定変更する必要がないので、照度目標値が１つである場合に比べて、住宅の居室などに使用する際の使い勝手を向上させることができる。
【００４９】
また、本実施形態によれば、制御用照度目標値として複数の照度目標値を使い分けることができ、外光の照度によっては低い照度目標値を選択することができるので、光源３からの光出力が必要以上に大きくなるのを防止することができる。その結果、照度目標値が１つである場合に比べて、省エネルギー効果を高めることができる。
【００５０】
さらに、本実施形態によれば、複数の時間帯のそれぞれに対応した照度目標値を現在時刻に応じて制御部５３が制御用照度目標値として選択することによって、被照射面を時間帯ごとに最適な照度にすることができる。
【００５１】
なお、本実施形態の変形例として、照明器具１の受信装置５とリモコン装置２との通信として、赤外線通信ではなく、微弱無線通信や特定小電力無線通信などを用いてもよい。以下の実施形態２〜４においても同様である。
【００５２】
また、本実施形態の照度検出部６はフォトＩＣダイオードに限定されるものではなく、例えばフォトトランジスタやフォトダーリントントランジスタ、ＣｄＳ光導電セルなど周囲の明るさを検出する素子を備えていてもよい。また、太陽電池セルによる起電力を利用してもよい。以下の実施形態２〜４においても同様である。
【００５３】
さらに、本実施形態の照度検出部６の取付位置は、光源３からの直接光を検出しなければ、図２に示す取付配置に限定されるものではなく、例えば検出範囲に自由度を持たせるために照度検出部６を照明器具１から独立して離して構成してもよい。以下の実施形態２〜４においても同様である。
【００５４】
また、本実施形態の光源３として、蛍光灯に限定されるものではなく、白熱灯や電球型蛍光灯などであってもよい。光源３が白熱灯である場合、点灯装置４は、交流電源ＡＣを位相制御することによって、白熱灯の点灯及び調光制御を行う。
【００５５】
（実施形態２）
実施形態２の照明装置は、受信装置５の制御部５３が、光源３の消灯時における照度検出部６の照度検出値が判定基準値（図６参照）に達したか否かを判断する判断モードを有する点で、実施形態１の照明装置と相違する。なお、実施形態１と同様の構成要素については、同一の符号を付して説明を省略する。
【００５６】
本実施形態のメモリ部５１には、複数の照度目標値として、光源３の全点灯の８０％である５６０Ｌｘの第１の照度目標値と、第１の照度目標値の７５％である４２０Ｌｘの第２の照度目標値とが記憶されている。本実施形態の第１の照度目標値は、本発明の第３の照度目標値に相当し、本実施形態の第２の照度目標値は、本発明の第４の照度目標値に相当する。
【００５７】
本実施形態のタイマ部５２は、現在時刻を示す機能に代えて、任意に設定される時間を計時する機能を有する。
【００５８】
本実施形態の制御部５３は、判断モード時に照度検出値が判定基準値に達したと判断されると、タイマ部５２による計測を開始させる。本実施形態の制御部５３は、本発明のタイマ制御手段に相当し、本実施形態の判定基準値は、本発明の第２の閾値に相当する。
【００５９】
また、制御部５３は、タイマ部５２が計時している間、制御用照度目標値として第３の照度目標値を選択し、タイマ部５２が計時を完了すると制御用照度目標値として第４の照度目標値を選択する。
【００６０】
次に、本実施形態の照明装置の動作について図６を用いて説明する。判定基準値は３０Ｌｘに設定されている。まず、照明器具１の出力動作が消灯状態にあり、朝になると照度検出部６の照度検出値が徐々に上昇する。照度検出値が判定基準値を超えると（タイミングｔ１）、タイマ部５２が１５時間のカウント動作を開始する。
【００６１】
その後、タイミングｔ２でリモコン装置２の照度一定ボタン２２２が押されると、制御部５３は、第１の照度目標値を制御用照度目標値として選択し、照度検出値が第１の制御用照度目標値（５６０Ｌｘ）になるように、光源３の光出力をフィードバック制御する。その後、自然光が増え続けて照度検出値が５６０Ｌｘ以上になると（タイミングｔ３）、制御部５３は、光源３の光出力を１０％出力（下限）に固定する。
【００６２】
その後、照度検出値が再び５６０Ｌｘ以下になると（タイミングｔ４）、制御部５３は、照度検出値が５６０Ｌｘになるように、光源３の光出力を徐々に上昇するフィードバック制御を行う。タイミングｔ５において、タイマ部５２が時間Ｔ１（例えば１５時間）のカウント動作を完了すると、制御部５３は、時間Ｔ２（例えば３０分間）かけて制御用照度目標値を徐々に第２の照度目標値（４２０Ｌｘ）まで下げ、急激な照度変化に対する不快感を低減させるようにする。タイミングｔ６になると、制御部５３は、第２の照度目標値を新たな制御用照度目標値として選択し、光源３の光出力のフィードバック制御を行う。
【００６３】
以上、本実施形態によれば、照度検出部６及びタイマ部５２を用いて、タイマ部５２による計時動作に応じて制御用照度目標値を選択することによって、既存の照明装置の構成を用いて安価に実現することができる。
【００６４】
なお、実施形態２の変形例として、実施形態１で設定された時間帯ごとに、実施形態２のような判定基準値を設けてもよい。本変形例において、制御部５３は、光源３を消灯しているときの照度検出値が、時間帯ごとに対応する判定基準値に達したか否かを判断し、何れかの時間帯において上記照度検出値が判定基準値に達した場合、タイマ部５２による計測を開始させる。
【００６５】
（実施形態３）
実施形態３の照明装置は、制御部５３が、光源３の点灯直前における照度検出部６の照度検出値が判定基準値（図７参照）より大きいか否かを判断する判断モードを有する点で、実施形態１の照明装置と相違する。なお、実施形態１と同様の構成要素については、同一の符号を付して説明を省略する。
【００６６】
本実施形態のメモリ部５１には、複数の照度目標値として、光源３の全点灯の８０％である５６０Ｌｘの第１の照度目標値と、第１の照度目標値の７５％である４２０Ｌｘの第２の照度目標値とが記憶されている。本実施形態の第１の照度目標値は、本発明の第１の照度目標値に相当し、本実施形態の第２の照度目標値は、本発明の第２の照度目標値に相当する。
【００６７】
本実施形態の制御部５３は、照度検出値が判定基準値より大きいと判断すると制御用照度目標値として第１の照度目標値を選択し、照度検出値が判定基準値以下であると判断すると制御用照度目標値として第２の照度目標値を選択する。つまり、本実施形態の制御部５３は、現在時刻によって制御用照度目標値を選択するのではない点で、実施形態１の制御部５３を相違する。
【００６８】
次に、本実施形態の照明装置の動作について図７，８を用いて説明する。判定基準値は３０Ｌｘに設定されている。まず、照明器具１の出力動作が消灯状態にあり、照度検出部６の照度検出値が徐々に上昇する。図７のタイミングｔ１１で照度検出値が判定基準値を超える。その後、タイミングｔ１２で、リモコン装置２の照度一定ボタン２２２（図２参照）が押されると、照度検出部６が照度検出値を測定し（図８のＳ１１）、照度検出値が判定基準値以下であるか否かの判定を制御部５３が行う（Ｓ１２）。照度検出値が判定基準値以下であれば、制御用照度目標値を第２の照度目標値とする（Ｓ１３）。これに対して、照度検出値が判定基準値以下でなければ、制御部５３は、制御用照度目標値として第１の照度目標値を選択し、光源３の光出力の制御を開始する。
【００６９】
その後、タイミングｔ１４において、家人が外出するので、光源３が消灯すると、照度検出部６は自然光の照度のみに応じた照度検出値となる（ｔ１４〜ｔ１６）。タイミングｔ１６において、家人が帰宅し、リモコン装置２の照度一定ボタン２２２（図２参照）が押されると、照度検出部６が照度検出値を測定する。照度検出値は判定基準値以下であるから、制御部５３は、制御用照度目標値として第２の照度目標値を選択し、光源３の光出力の制御を開始する。
【００７０】
以上、本実施形態によれば、光源３の点灯直前における照度検出値と判定基準値との比較結果に応じて制御用照度目標値を選択することによって、被照射面を外光の照度に応じた照度に設定することができる。
【００７１】
また、本実施形態によれば、光源３の点灯直前における照度検出値が判定基準値より大きいときに制御用照度目標値として選択される第１の照度目標値を、上記照度検出値が判定基準値より小さいときに制御用照度目標値として選択される第２の照度目標値より大きくすることによって、外光の照度が大きいときに被照射面の照度を高くすることができ、外光の照度が小さいときに被照射面の照度を低くすることができる。
【００７２】
なお、実施形態３の変形例として、実施形態１で設定された時間帯ごとに、実施形態３のような判定基準値を設けてもよい。本変形例において、制御部５３は、光源３の点灯直前の照度検出値が、時間帯ごとに対応する判定基準値より大きいか否かを判断し、判断結果に応じて、制御用照度目標値として第１の照度目標値又は第２の照度目標値を選択する。なお、実施形態４においても、同様である。
【００７３】
（実施形態４）
実施形態４の照明装置は、メモリ部５１に、第２の照度目標値として大きさの異なる複数の照度目標値が記憶されている点で、実施形態２の照明装置と相違する。なお、実施形態１と同様の構成要素については、同一の符号を付して説明を省略する。
【００７４】
本実施形態のメモリ部５１には、第４の照度目標値として、光源３の全点灯の７０％である４９０Ｌｘの照度目標値、光源３の全点灯の６０％である４２０Ｌｘの照度目標値、光源３の全点灯の５０％である３５０Ｌｘの照度目標値が記憶されている。
【００７５】
本実施形態の制御部５３は、タイマ部５２が計時を完了すると制御用目標値として第４の照度目標値を大きい方から順に切り替えていくものである。
【００７６】
次に、本実施形態の照明装置を使用したときの上記照明装置の動作について図９，１０を用いて説明する。図９に示すタイミングｔ２５までの動作は、実施形態２のタイミングｔ５（図６参照）までの動作と同様である。
【００７７】
その後、タイミングｔ２５において、タイマ部５２が時間Ｔ１のカウント動作を完了すると、制御部５３は、時間Ｔ２（例えば３０分間）において、制御用照度目標値を第１の照度目標値（５６０Ｌｘ）から徐々に下げ、タイミングｔ２６において、新たな制御用照度目標値として全点灯の７０％である４９０Ｌｘの照度目標値に変更し、光源３の光出力をフィードバック制御する（図９の時間Ｔ２）。さらに、１時間経過すると（タイミングｔ２７）、制御部５３は、３０分かけて制御用照度目標値を４９０Ｌｘから徐々に４２０Ｌｘに下げる。同様に、時間ｔ２９〜ｔ３０においても、制御部５３は、制御用照度目標値を４２０Ｌｘから徐々に３５０Ｌｘに下げる。上記の動作により、１日の照度は図１０に示すようになる。
【００７８】
以上、本実施形態によれば、タイマ部５２による計時の完了後、制御部５３が制御用照度目標値を小さくしていくことによって、スムーズな入眠のためのリラクゼーション照明とすることができるので、生体リズムに適した照明制御を行うことができる。
【００７９】
（実施形態５）
ところで、実施形態１〜４では、どのような場所においても、被照射面の照度が同じであれば照度検出部６の照度検出値が一定である場合について説明したが、実際には、照明器具１が設置される部屋のカーペットや床の色、部屋内に設置されたテーブルの有無などによって被照射面の反射率が異なるため、被照射面の照度が同じであっても照度検出値にずれが生じる。例えば、反射率が高い部屋では、照度検出値が高くなり光源３の光出力を下げることになるため、実際の照度は照度目標値より低くなる。これに対して、反射率が低い部屋では、照度検出値が低くなり光源３の光出力を上げることになるため、実際の照度は照度目標値よりも高くなってしまう。
【００８０】
そこで、実施形態５の照明装置は、反射率の違いによらず被照射面の照度が一定となるように照度検出値のずれを補正する機能を制御部５３に有する。
【００８１】
まず、自然光のない状態で光源３を全点灯（１００％出力）した状態で、補正ボタン２２１が押されると、照度検出部６が照度の測定を行う。その後、制御部５３は、メモリ部５１に記憶されている全灯時の照度基準値に対する比率すなわち反射率を演算により求め、求めた値を補正係数としてメモリ部５１に記憶する。なお、照度基準値は、事前に反射率の違いを測定して平均値を設定する。例えば照度基準値が２Ｖであるとして、照度検出部６の照度検出値が１Ｖであれば、補正係数は０．５Ｖとなる。補正後の照度目標値は照度基準値に補正係数０．５を乗じた値となる。
【００８２】
以上、本実施形態によれば、被照射面の反射率がどのような場合であっても、反射率の違いによらず被照射面の照度が一定となるように照度検出値のずれを補正することによって、被照射面の照度を制御用照度目標値に一定に保つことができる。
【図面の簡単な説明】
【００８３】
【図１】実施形態１に係る照明システムの構成を示すブロック図である。
【図２】同上に係る照明システムの動作を示す概念図である。
【図３】同上に係る照明システムの外観図である。
【図４】同上に係る照明システムの動作を示すフローチャートである。
【図５】同上に係る照明システムの光源の光出力を示す図である。
【図６】実施形態２に係る照明システムの動作を示すタイミングチャートである。
【図７】実施形態３に係る照明システムの動作を示すタイミングチャートである。
【図８】同上に係る照明システムの動作を示すフローチャートである。
【図９】実施形態４に係る照明システムの動作を示すタイミングチャートである。
【図１０】同上に係る照明システムの光源の光出力を示す図である。
【符号の説明】
【００８４】
３  光源
４  点灯装置
５１  メモリ部
５２  タイマ部（時計手段）
５３  制御部（選択手段、点灯制御手段、第１の判断手段、第２の判断手段、タイマ制御手段）
６  照度検出部（照度検出手段）
【図１】
0005308070.tif 000002
【図２】
0005308070.tif 000003
【図３】
0005308070.tif 000004
【図４】
0005308070.tif 000005
【図５】
0005308070.tif 000006
【図６】
0005308070.tif 000007
【図７】
0005308070.tif 000008
【図８】
0005308070.tif 000009
【図９】
0005308070.tif 000010
【図１０】
0005308070.tif 000011